【事件の表示】
　特願２０００−２４４６９８「情報閲覧装置および情報閲覧方法」拒絶査定不服審判事件〔平成１４年　２月２０日出願公開、特開２００２−　５５８７１〕について、次のとおり審決する。
【結　論】
　本件審判の請求は、成り立たない。
【理　由】
１．手続の経緯
　本願は、平成１２年８月１１日の出願であって、平成２１年８月２８日付けで拒絶理由通知がなされ、同年１０月２１日付けで手続補正がなされたが、同年１１月９日付けで拒絶査定がなされ、これに対し、平成２２年２月１７日に拒絶査定不服審判の請求がなされるとともに、同日付けで手続補正がなされたものである。
　
２．本願発明
　本願の請求項１に係る発明は、平成２２年２月１７日付けの手続補正書により補正された特許請求の範囲の請求項１に記載されたとおりの次のものと認める。（以下、「本願発明」という。）
「情報提供先から情報を読み出す情報読み出し手段と、
　前記情報提供先から読み出された情報に含まれている関連付けられた情報提供先を判別して、次に情報を読み出す情報提供先を指定するための自動閲覧指示リストの生成および更新を行う情報生成手段と、
　前記情報生成手段で生成および更新された自動閲覧指示リストを記憶する記憶手段と、
　前記情報読み出し手段によって読み出された情報を表示する表示手段と、
　前記情報読み出し手段で情報を読み出す情報提供先を、前記記憶手段に記憶されている自動閲覧指示リストに従って指示する制御手段と、を有し、
　前記制御手段は、前記表示手段での前記情報の表示期間を利用して、前記自動閲覧指示リストに基づき前記情報読み出し手段を制御して、次の情報提供先から情報を先読みし、かつ、前記表示手段での前記情報の表示時間を、前記表示手段で表示される前記情報の情報量に基づいて設定することを特徴とする情報閲覧装置。」
　
３．引用例
　これに対し、原査定の拒絶の理由に引用された国際公開第９８／１８０８８号（以下、「引用例１」という。）、及び特開平９−７４３９０号公報（以下、「引用例２」という。）には、図面とともに次の事項が記載されている。
　
（引用例１）
Ａ．「　以下、本発明による自動ウェブ閲覧機能を有する情報機器の実施の形態について、詳細に説明する。
　まず、図４に本実施の形態を実現するための機器のハードウエア構成例を示す。このハードウエアは、テレビに内蔵される形でも、あるいは外付けされる形でもよい。
　図４の構成において、中央処理装置（ＣＰＵ）４０１はバス４００に接続され、バス４００を介して図４の情報機器全体の制御を司る。マスクＲＯＭ４０５にはＣＰＵ４０１が実行するブラウザ等のコンピュータプログラムが格納されている。フォントＲＯＭ４０６にはブラウザ等のテレビ画面上で用いるフォントのデータを格納している。フラッシュメモリ４０７は、書き換え可能な不揮発性のメモリであり、ユーザが記憶しておきたいＵＲＬや電子メールアドレス等を格納しておくためのものである。また、バージョンアップ機能なプログラムもフラッシュメモリ４０７に格納することができる。フラッシュメモリに替えて、あるいはこれに加えて、ＭＤ（ミニディスク）、ハードディスクなどの不揮発性記憶手段である二次記憶装置を採用してもよい。ＲＡＭ４０８は、ＣＰＵ４０１がプログラムの実行処理を行う上で必要とされる作業領域や、プログラム実行に必要な各種パラメータを格納する領域を提供する。また、ＲＡＭ４０８は、十分な記憶容量を用意することにより、ネットワークから一度受信したページ情報（ＨＴＭＬテキスト、画像、音声等のファイル）を一時的に格納するキャッシュとして用いることもできる。また、前述の二次記憶装置を利用したキャッシュも可能である。
　公衆回線に対してはライン端子（ＬＩＮＥ）を介して接続される。ライン端子はモデム４１８およびシリアルコントローラ４１７を介してバス４００に接続される。ＩＳＤＮ回線を利用する場合には、ＤＳＵ(Data Service Unit)およびＴＡ(Terminal Adapter)を使用する。
　この情報機器が公衆回線から受信したページ情報をテレビ画面上に表示する際、表示コントローラ４１０を介して、その表示内容が一旦表示メモリ（ＶＲＡＭ）４１１上に描画される。この表示メモリ４１１の内容は、デジタルアナログ（Ｄ／Ａ）変換器４１２を介してビデオ出力端（ＶＯＵＴ）から出力され、さらにテレビのビデオ入力端（図示せず）に入力される。」（第１０頁第２２行〜第１１頁第２２行）
　
Ｂ．「　メニュー画面５００上の各メニュー項目には、前述したようなリンクが設定されており、指示されたメニュー項目に応じて、そのリンクのリンク先のページが読み出される。以後、画面上の任意のリンクを指示していくことにより次々と新しいページを探索していくことができる。
　本発明では、このリンクを辿っていく動作を自動に行わせる機能を提供するものである。この機能を、本明細書では、オートナビゲーション機能（自動ウェブ巡回機能）と呼ぶ。オートナビゲーション機能は、例えば、リモコン４０２に設けた専用のボタンまたは画面上に設けたボタンを指示することにより開始することができる。」（第１２頁第２７行〜第１３頁第６行）
　
Ｃ．「　時間間隔６０５は、オートナビゲーション中に、１つページの表示から次のページの表示へ移行するまでの時間（秒）を設定するものである。図の例では、“３秒”が設定されている。ページの１画面分が表示される前にその時間が満了した場合には、表示が途中であってもその処理は中止し、次のページの表示に移る。時間間隔６０５の適正な値は、通信速度（ｂｐｓ）やユーザの好みに応じて変わりうる。」（第１３頁第２５行〜第１４頁第１行）
　
Ｄ．「　図１２は、本実施の形態において用いる履歴テーブル１２０の構成例を示す。これは、順次リンクを辿っていったときのページの履歴を保持しておくためのテーブルであり、このテーブルに基づいて現在のページからその親のページ（リンク元のページ）へ戻ることができる。この履歴テーブル１２０は、ページ１２１と、そのページ内の位置１２３と、現在表示している位置を示すカレント位置ポインタ１２５の各欄からなる。この履歴テーブル１２０には、図１に示した階層的ツリーの１系列のみを保持する。例えば、図１の例において、ページＡから順次リンクを辿って、ページＢ、ページＣへと移動したとき、図１２（ａ）に示したように各ページの３個のレコードが順次履歴テーブル１２０に格納され、３番目のページＣが現在表示されているページであることがカレント位置ポインタ１２５により示される。次に、現在のページＣからページＢに戻ったとき、図１２（ｂ）に示すように、レコードの個数は３個のままであるが、カレント位置ポインタ１２５が２番目のレコードを示す。続いて、ページＢからページＤへ移動した場合には、いままでのツリーの系列Ａ→Ｂ→Ｃとは別の系列に入り込むため、図１２（ｃ）に示すように新たな系列Ａ→Ｂ→Ｄが履歴テーブル１２０に格納される。また、カレント位置ポインタ１２５はレコード３を示す。この履歴テーブル１２０の構成では、履歴テーブル１２０に格納されたレコード数はリンクの深さに相当する。」（第１７頁第７〜２４行）
　
Ｅ．「　まず、タイムアウト時間Ｔ．Ｏ．と対比するための時間を計測するタイマーをスタートさせる（８０１）。このタイマーは、ＣＰＵ４０１のインターバルタイマー機能を用いて行うことができる。次に、深さ優先と幅優先のいずれが設定されているかを調べる（８０２）。幅優先であれば図９の処理に進み、深さ優先であれば図８のステップ８０３に進む。そこで、現在の深さレベル（リンクレベル）を示す変数ＬＶを“０”にリセットする（８０３）。この変数ＬＶは、図１２に示した履歴テーブル１２０のカレント位置ポインタ１２５に相当する。
　次いで、指定されたページの内容（テキスト）を読み出してＲＡＭ（記憶手段）４０８内に記憶し、これを解析して画像を描画し、テレビ画面上に表示する（８０４）。「指定されたページ」は、インターネット接続直後は予め指定されたＵＲＬのホームページが指定される。後述するステップ８１８からステップ８０４に到達した場合には、履歴テーブル１２０に基づきページおよびその位置が指定される。
　続いて、先のステップ８０４で表示されたページにおける未読のリンクすなわちアンカーポイント（複数あればその先頭）に注目する（８０５）。すなわち、その未読リンクの位置を含むページ部分を画面上に表示する。最初に表示したページ範囲にその位置が含まれない場合には、その位置が画面に現れるまで画像をスクロールさせる、または、ジャンプさせる。
　次に、前述したテーブルを更新する（８０６）。具体的には、新たなページについて、履歴テーブル１２０（図１２）に新たなレコードを追加するとともに、既読テーブル１３０（図１３）に当該ページ１３１および位置１３３を登録する。この際、登録したリンクのリンク先へはまだ移行していないので、「回数」１３５には“０”を設定する。」（第１８頁第６〜２８行）
　
Ｆ．「　現ページに未読のリンクがない場合には（８０８でＮｏ）、後述するステップ８１８へ進む。未読リンクがある場合には、その先頭のリンク（ステップ８０５で注目したリンク）のリンク先のアクセス情報を指定する（８０９）。これにより、リンクレベルが１つ下位に降りるため、リンクレベル変数ＬＶをインクリメントする（８１０）。ついで、テーブルを更新する（８１１）。具体的には、当該リンク元のリンクについて既読テーブル１３０の「回数」をインクリメントする。また、ツリーの系列の変更がない限り履歴テーブル１２０に新たなレコードを追加する。ツリーの系列に変更があった場合には、古いツリーに代えて新たなツリーのレコードのみを記録する。」（第１９頁第６〜１４行）
　
Ｇ．「　ついで、先のステップ８０９で指定されたページの内容を、ステップ８０４の場合と同様に、読み出してＲＡＭ４０８に記憶し、これを解析して表示する（８１４）。時間間隔Ｉｎｔｖｌ０の経過後（８１５）、当該リンク（ステップ８０９で着目した未読のリンクのうちの先頭リンク）がそのページの最後のリンクであったか否かを調べる（８１６）。これは、既読テーブル１３０を参照することにより判明する。最後のリンクでなければ、ステップ８１０で更新したリンクレベルＬＶがユーザの設定した上限のリンク深さＬＶ０より小さいか否かを調べる（８１７）。小さければステップ８０８に戻り、先のステップ８１４で表示されたページにおける未読リンクの有無を調べて（８０８）、存在すればさらに下位のリンクへ移行する（８０９〜８１６）。
　ステップ８１７でリンクの深さの上限に達したと判断されれば、履歴テーブル１２０を参照することにより、現ページの親ページを指定する（８１８）。リンク深さの範囲ですべてのページの探索を終了して、最後にオートナビゲーションを開始したページに戻ってきた場合には、さらなる親ページは存在せず（ステップ８１９でＮｏ）、処理を終了する（ＥＮＤ）。但し、後述するように図９の幅優先探索から移行してきた場合には（８２２でＮｏ）、図９の所定のステップへ戻る。」（第１９頁第２１行〜第２０頁第８行）
　
　上記Ａ．〜Ｇ．の記載及び関連する図面を参照すると、引用例１には、次の発明が記載されているものと認められる。（以下、「引用例１記載の発明」という。）
「リンク先からページを読み出すモデム４１８およびシリアルコントローラ４１７と、
　前記リンク先から読み出されたページに含まれているリンクを判別して、オートナビゲーション中に現在のページからその親のページ（リンク元のページ）へ戻るために参照される履歴テーブル１２０へのレコードの追加及び更新を行う手段と、
　前記レコードの追加及び更新を行う手段で追加及び更新された履歴テーブル１２０を記憶するＲＡＭ４０８と、
　前記モデム４１８およびシリアルコントローラ４１７によって読み出されたページを表示するテレビ画面と、
　オートナビゲーション中に現在のページから戻るその親のページ（リンク元のページ）を、前記ＲＡＭ４０８に記憶されている履歴テーブル１２０に従って指示するＣＰＵ４０１と、を有し、
　前記ＣＰＵ４０１は、前記テレビ画面での、１つのページの表示から次のページの表示へ移行するまでの時間を、通信速度やユーザの好みに応じて設定する、自動ウェブ閲覧機能を有する情報機器が内蔵されたテレビ。」
　
（引用例２）
Ｈ．「【請求項１】　展開表示される情報をページ単位で自動送りする自動ページ送り機能を有する情報表示装置において、
前記展開表示される情報中の文字種を判断する文字種判断手段と、
この文字種判断手段により判断された文字種に応じて前記自動ページ送り機能を制御する自動ページ送り機能制御手段とを具備したことを特徴とする情報表示装置。」
　
Ｉ．「【００３２】なお、図３では、展開表示される多重データ中に英字または片仮名文字が含まれる場合にページ送り速度を変えるようにしたが、例えば小さいサイズの文字の場合、大きいサイズの文字に比べて見ずらく、読むにも時間がかかることから、全体の文字数に占める小さいサイズの文字の割合を調べて、ページ送り速度（表示時間）を制御するようにしてもよい。。」
　
　上記Ｈ．〜Ｉ．の記載及び関連する図面を参照すると、引用例２には、次の発明が記載されているものと認められる。（以下、「引用例２記載の発明」という。）
「展開表示される情報をページ単位で自動送りする自動ページ送り機能を有する情報表示装置において、読むのに時間がかかる小さいサイズの文字が全体の文字数に占める割合を調べて、ページ送り速度（表示時間）を制御すること。」
　
４．対比
　本願発明と引用例１記載の発明とを対比すると、次のことがいえる。
　
（あ）引用例１記載の発明における「リンク先」、「ページ」、「モデム４１８およびシリアルコントローラ４１７」、「テレビ画面」、「１つのページの表示から次のページの表示へ移行するまでの時間」、「自動ウェブ閲覧機能を有する情報機器が内蔵されたテレビ」は、それぞれ、本願発明における「情報提供先」、「情報」、「情報読み出し手段」、「表示手段」、「情報の表示時間」、「情報閲覧装置」に相当する。
　
（い）引用例１記載の発明における「前記リンク先から読み出されたページに含まれているリンク」は、該「リンク」が含まれている「前記リンク先から読み出されたページ」に関連付けられたものであるとともに、引用例１記載の発明における「リンク」は、本願発明における「情報提供先」に相当するので、引用例１記載の発明における「前記リンク先から読み出されたページに含まれているリンク」は、本願発明における「前記情報提供先から読み出された情報に含まれている関連付けられた情報提供先」に相当する。
　
（う）引用例１記載の発明における「履歴テーブル１２０」は、オートナビゲーション中に、現在のページからその親のページ（リンク元のページ）へ戻るという、閲覧されるページを自動的に切り換える制御を行う際に、そのページを指示するために参照されるものであるから、「自動閲覧指示リスト」と呼び得るものである。
　そして、引用例１記載の発明における「オートナビゲーション中に現在のページからその親のページ（リンク元のページ）へ戻るために参照される履歴テーブル１２０」と、本願発明における「次に情報を読み出す情報提供先を指定するための自動閲覧指示リスト」とは、「次の情報を指定するための自動閲覧指示リスト」である点において、共通するものである。
　また、引用例１記載の発明において、「履歴テーブル１２０」へ初めてレコードの追加を行うことは、新たに「履歴テーブル１２０」を生成することであるといえるし、そのような「履歴テーブル１２０」の生成及び更新を行う手段は「情報生成手段」と呼び得るものである。
　したがって、引用例１記載の発明における「オートナビゲーション中に現在のページからその親のページ（リンク元のページ）へ戻るために参照される履歴テーブル１２０へのレコードの追加及び更新を行う手段」と、本願発明における「次に情報を読み出す情報提供先を指定するための自動閲覧指示リストの生成および更新を行う情報生成手段」とは、「次の情報を指定するための自動閲覧指示リストの生成および更新を行う情報生成手段」という点において、共通するものである。
　
（え）引用例１記載の発明における「ＲＡＭ４０８」は、情報を記憶する手段であるので、「記憶手段」と呼び得るものである。
　よって、引用例１記載の発明における「前記レコードの追加及び更新を行う手段で追加及び更新された履歴テーブル１２０を記憶するＲＡＭ４０８」は、本願発明における「前記情報生成手段で生成および更新された自動閲覧指示リストを記憶する記憶手段」に相当するものである。
　
（お）引用例１記載の発明において、「オートナビゲーション中に現在のページから戻るその親のページ（リンク元のページ）」は、現在のページの次に表示されるページであることから、「次の情報提供先」と呼び得るものである。
　また、引用例１記載の発明における「ＣＰＵ４０１」は、「オートナビゲーション中に現在のページから戻るその親のページ（リンク元のページ）を、前記ＲＡＭ４０８に記憶されている履歴テーブル１２０に従って指示する」という制御を行う手段であるから、「制御手段」と呼び得るものである。
　したがって、引用例１記載の発明における「オートナビゲーション中に現在のページから戻るその親のページ（リンク元のページ）を、前記ＲＡＭ４０８に記憶されている履歴テーブル１２０に従って指示するＣＰＵ４０１」と、本願発明の「前記情報読み出し手段で情報を読み出す情報提供先を、前記記憶手段に記憶されている自動閲覧指示リストに従って指示する制御手段」とは、「次の情報提供先を、前記記憶手段に記憶されている自動閲覧指示リストに従って指示する制御手段」という点で、共通するものである。
　
　上記（あ）〜（お）の事項を踏まえると、本願発明と引用例１記載の発明とは、次の点で一致し、また、相違するものと認められる。
　
（一致点）
　本願発明と引用例１記載の発明とは、ともに、
「情報提供先から情報を読み出す情報読み出し手段と、
　前記情報提供先から読み出された情報に含まれている関連付けられた情報提供先を判別して、次の情報を指定するための自動閲覧指示リストの生成および更新を行う情報生成手段と、
　前記情報生成手段で生成および更新された自動閲覧指示リストを記憶する記憶手段と、
　前記情報読み出し手段によって読み出された情報を表示する表示手段と、
　次の情報提供先を、前記記憶手段に記憶されている自動閲覧指示リストに従って指示する制御手段と、を有し、
　前記制御手段は、前記表示手段での前記情報の表示時間を設定する、情報閲覧装置。」
である点。
　
（相違点）
　相違点１：「情報生成手段」が生成および更新を行い、「記憶手段」が記憶し、「制御手段」が次の情報提供先を指示する際に従う「自動閲覧指示リスト」が、本願発明においては「次に情報を読み出す情報提供先を指定するため」のものであるのに対し、引用例１記載の発明においては「現在のページからその親のページ（リンク元のページ）へ戻るため」のものである点。
　
　相違点２：本願発明においては、「制御手段」が「前記表示手段での前記情報の表示期間を利用して、前記自動閲覧指示リストに基づき前記情報読み出し手段を制御して、次の情報提供先から情報を先読み」するものであるのに対し、引用例１記載の発明においては、「ＣＰＵ４０１」がそのようにするとは明示されていない点。
　
　相違点３：本願発明においては、「制御手段」が「前記表示手段での前記情報の表示時間を、前記表示手段で表示される前記情報の情報量に基づいて設定する」ものであるのに対し、引用例１記載においては、「ＣＰＵ４０１」が「前記テレビ画面での、１つのページの表示から次のページの表示へ移行するまでの時間を、通信速度やユーザの好みに応じて設定する」ものである点。
　
５．当審の判断
　そこで、上記相違点１〜３について検討する。
　
（相違点１について）
　上記３．のＦ．で摘記した「現ページに未読のリンクがない場合には（８０８でＮｏ）、後述するステップ８１８へ進む。未読リンクがある場合には、その先頭のリンク（ステップ８０５で注目したリンク）のリンク先のアクセス情報を指定する（８０９）。・・・（中略）・・・。ついで、テーブルを更新する（８１１）。・・・（中略）・・・。また、ツリーの系列の変更がない限り履歴テーブル１２０に新たなレコードを追加する。」の記載、及び上記３．のＧ．で摘記した「ついで、先のステップ８０９で指定されたページの内容を、ステップ８０４の場合と同様に、読み出してＲＡＭ４０８に記憶し、これを解析して表示する（８１４）。」の記載によれば、引用例１記載の発明において、現ページに未読リンクがある場合には、リンク先のアクセス情報を指定し、履歴テーブル１２０に新たなレコードを追加することによってテーブルを更新し、前記指定されたページの内容を読み出してＲＡＭ４０８に記憶し、これを解析して表示している。
　ここで、リンク先のアクセス情報を指定する側から、前記指定されたページの内容を読み出す側に対して、該アクセス情報を伝える手法として、何らかのテーブルに該アクセス情報を書き込んでそのアクセス情報を読み出させるという手法はごく普通に用いられている手法であり、その目的で上記「履歴テーブル１２０」を用いるようにすることは、当業者が適宜になし得ることにすぎない。
　そして、引用例１記載の発明における「現ページにある未読リンクのリンク先」は、本願発明における「次に情報を読み出す情報提供先」に相当するものであるので、引用例１記載の発明において、「情報生成手段」（「履歴テーブル１２０へのレコードの追加及び更新を行う手段」）が「次に情報を読み出す情報提供先を指定するための自動閲覧指示リストの生成および更新を行」い、「記憶手段」（「ＲＡＭ４０８」）が「前記情報生成手段で生成および更新された自動閲覧指示リストを記憶」し、「制御手段」（「ＣＰＵ４０１」）が「前記情報読み出し手段で情報を読み出す情報提供先を、前記記憶手段に記憶されている自動閲覧指示リストに従って指示する」ようにすることは、当業者が容易に想到し得ることである。
　
（相違点２について）
　まず、本願発明において「制御手段」が「前記表示手段での前記情報の表示期間を利用して、前記自動閲覧指示リストに基づき前記情報読み出し手段を制御して、次の情報提供先から情報を先読み」することについて、該「先読み」の解釈として、次の２つが考えられる。
　
　ア．次の情報提供先からの情報が必要となる時点よりも先に、その情報をあらかじめ読み出しておき、その情報が必要となった時点ですぐに利用できるようにしておくこと。
　
　イ．次の情報提供先からの情報を表示する時点よりも先に、その情報を読み出して次の表示のための記憶領域に格納しておき、その情報を表示する時点で高速に表示できるようにすること。
　
　上記ア．の解釈の場合について検討すると、本願の出願日前に頒布された特開２０００−２１５１３８号公報に、次の記載がなされている。
　
Ｊ．「【００４４】次に、図３に示すフローチャートを参照しながら先読み処理の動作について説明する（図２に示すステップＡ１５〜Ａ２１の処理については後述する）。この先読み処理は、メインルーチンであるブラウザ処理によるＷｅｂページの表示のバックグラウンドにおいて実行される。
　・・・（中略）・・・
【００４６】・・・（中略）・・・以下、サーチポインタ３４を更新しながら、ページデータ全体に対してリンク命令の検索を実行する。
【００４７】ＣＰＵ２０は、サーチポインタ３４が示す位置のデータが、他のＷｅｂページとリンクされていることを示すリンク命令であるか否かを判別する（ステップＢ４）。
　・・・（中略）・・・
【００５４】一方、リンク命令の次の一連のテキストデータにキーワードが存在しなかった場合（ステップＢ９）、ＣＰＵ２０は、ジャンプ先のＵＲＬアドレスのＷｅｂページのテキストデータのみをダウンロードし、先読み中のホームページテキスト３８としてメモリ２６に格納する。ここで、Ｗｅｂページ全体のデータではなくテキストデータのみをダウンロードすることで、ダウンロードに要する負荷を軽くしている。」
　
　すなわち、上記Ｊ．の記載に見られるように、Ｗｅｂページの表示のバックグラウンドにおいて、該Ｗｅｂページのページデータ内のリンク命令を検索し、該リンク命令のジャンプ先のＵＲＬアドレスのＷｅｂページのテキストデータのみをダウンロードし、先読み中のホームページテキストとしてメモリに格納することは周知技術にすぎない。
　
　次に、上記イ．の解釈について検討すると、本願の出願日前に頒布された特開平８−２８６８６８号公報に、次の記載がなされている。
　
Ｋ．「【０００９】
【課題を解決するための手段】本発明は、画面プレゼンテーション用イメージを複数頁分一時記憶するための一時記憶手段と、この一時記憶手段から１頁単位で画面プレゼンテーション用イメージを取り出して画面表示する画面表示手段と、この画面表示手段による表示中の頁に後続する頁のイメージを画面プレゼンテーション用イメージデータの保存手段から上記一時記憶手段に先読みする先読み手段とを備えたことを特徴とするものである。
　・・・（中略）・・・
【００１１】
【作用】上記の構成によれば、プレゼンテーション中に、後続の頁を一時記憶手段に用意できるため、頁（画面）切り替えが速やかに行える。」
　
　また、本願の出願日前に頒布された特開昭６４−２９９７４号公報に、次の記載がなされている。
　
Ｌ．「高速表示は、表示メモリ１（１０１ａ）の内容を表示している間に、表示メモリ２に次画面データの先読みをしておき、次画面の検索に際しては、制御装置１０３は表示の指示に際し、切り換え器１０４により表示画像を表示メモリ１から表示メモリ２へ切り換えたのち、表示メモリ１に次画面データの先行先読みを行うことにより実現される。」（第３頁右上欄第１０〜１６行）
　
　すなわち、上記Ｋ．及びＬ．の記載に見られるように、現在の画面を表示している間に、次に表示する画面の情報を先読みして、次の表示のための記憶領域に格納しておいて、次の画面への切り換えを高速化することは周知技術にすぎない。
　
　そして、上記（相違点１について）で説示したとおり、引用例１記載の発明において、「制御手段」（「ＣＰＵ４０１」）が「前記情報読み出し手段で情報を読み出す情報提供先を、前記記憶手段に記憶されている自動閲覧指示リストに従って指示する」ようにすることは、当業者が容易に想到し得ることであるので、上記「先読み」の解釈が上記ア．とイ．のいずれであったとしても、引用例１記載の発明に上記周知技術を適用して、「制御手段」（「ＣＰＵ４０１」）が「前記表示手段での前記情報の表示期間を利用して、前記自動閲覧指示リストに基づき前記情報読み出し手段を制御して、次の情報提供先から情報を先読み」するようにすることは、当業者が適宜になし得るである。
　
（相違点３について）
　自動的にページが送られていく情報閲覧装置において、読むのに時間がかかる小さいサイズの文字が全体の文字数に占める割合を調べて、ページ送り速度（表示時間）を制御することは、引用例２記載の発明に見られるように公知の技術である。ここで、読むのに時間がかかる小さいサイズの文字が全体の文字数に占める割合が大きいページを表示する場合には、表示時間が大きくなるように設定されると解されるが、そのようなページは情報量が大きいページであるといえる。すなわち、表示されるページの表示時間を、該ページの情報量に基づいて設定することは、引用例２記載の発明のように、従来から行われている公知の技術にすぎない。
　そして、引用例１記載の発明と引用例２記載の発明とは、いずれも情報閲覧装置という共通の技術分野に属するものであり、また、いずれも自動的にページ送りされていくものであるので、引用例１記載の発明において、引用例２記載の発明を参酌し、「ＣＰＵ４０１」が、「テレビ画面」での「１つのページの表示から次のページの表示へ移行するまでの時間」を、前記「テレビ画面」で表示される前記「ページ」の情報量に基づいて設定するようにすることは、当業者が容易に想到し得ることである。
　
（本願発明の作用効果について）
　そして、本願発明の構成によってもたらされる効果も、引用例１，２に記載の発明及び上記周知技術から当業者が容易に予測できる程度のものであって、格別のものとはいえない。
　
６．むすび
　以上のとおり、本願発明は、引用例１，２に記載の発明及び上記周知技術に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。